(57)【要約】      （修正有）【課題】フィルタ材交換の過程と取り外しの手順を簡略化し、時間と手間を省くことができる空調フィルタバッグの提供。【解決手段】空調フィルタバッグは、空調フィルタバッグに開口部を設け、さらに、開口部内側に密着させて開口部の強靭性を増加する支持部と、開口部に連結され、開口部を開いた状態に支持する枠体とを含み、この枠体をフィルタフレームの気孔内に嵌入し、挟持方式で空調フィルタバッグを緊密に該気孔内に固定する。【選択図】図１
0003112705.tif 000002
【実用新案登録請求の範囲】
【請求項１】
フィルタフレームに組み込み、空気中の雑物を濾過する空調フィルタバッグであって、該空調フィルタバッグに開口部を設け、さらに、該開口部内側に密着させて該開口部の強靭性を増加する支持部と、該開口部に連結され、該開口部を開いた状態に支持する枠体とを含み、該枠体を該フィルタフレームの気孔内に嵌入し、挟持方式で該空調フィルタバッグを緊密に該気孔内に固定することを特徴とする空調フィルタバッグ。
【請求項２】
前記支持部が縫合方式により該開口部内側に密着される請求項１に記載の空調フィルタバッグ。
【請求項３】
前記支持部が超音波溶接方式により該開口部内側に密着される請求項１に記載の空調フィルタバッグ。
【請求項４】
前記枠体が粘着方式により該開口部に連結される請求項１に記載の空調フィルタバッグ。
【請求項５】
前記枠体を可燃性且つ自然分解が可能な紙材で製作した請求項１に記載の空調フィルタバッグ。
【請求項６】
前記空調フィルタバッグのフィルタ材がガラス繊維フィルタ材である請求項１に記載の空調フィルタバッグ。
【請求項７】
前記空調フィルタバッグのフィルタ材が合成繊維フィルタ材である請求項１に記載の空調フィルタバッグ。
【考案の詳細な説明】
【技術分野】
【０００１】
本考案はフィルタバッグに関し、詳細には、空調システムに応用する空調フィルタバッグに関する。
【背景技術】
【０００２】
科学技術の進歩に伴い、空調システムもまた大幅に各種領域において運用されるようになり、効果的に密閉された空間内の各種環境要素を制御するために、空調システムの機能もまた増え続け、制御に対しても精密さが増しており、空気中の各種粉塵、雑物、異物を除去することが空調システムの基本的要求になっている。
【０００３】
一般的な空調システムの吸気口には、異なるニーズに合わせ各種の機能が異なるフィルタ材が設置されており、これらフィルタ材にはさまざまな材質のものがあるが、皆粉塵や雑物、異物を吸着する機能を備えており、これまでの従来技術はすべてフィルタ材をフィルタフレームセットで覆い、リベットや留め具、接着剤などでフィルタ材とフィルタフレームを結合させて一体とし、さらにフィルタフレームを天井や軽量スチール枠などに固定し、吸気口に結合させ、粉塵や雑物、異物を濾過する効果を得ている。
【０００４】
フィルタ材の用途は濾過であるため、一定時間使用すると、フィルタ材上に多くの空気中の雑物や粉塵が堆積し、濾過効果が大幅に低下するため、一定時間使用した後、濾過効果と空気品質を維持するためにはフィルタ材を交換する必要があるが、従来技術においてはフィルタ材とフィルタフレームが結合し一体となった設計であるため、フィルタ材を交換する際、フィルタフレーム全体を取り外す必要があり、時間がかかるだけでなく、施工も複雑で困難である。
【０００５】
同時に、交換の度にフィルタフレーム全体も一緒に交換する必要があるため、非常に経済的でなく、また環境保護の必要性にも合わないため、取り外した後のフィルタフレームは二次施工を経てフィルタフレームの金属部分とフィルタ材部分を分離した後、それぞれ処理を行わなければならず、このような手順は時間が無駄になるため、フィルタ材の構造設計上更なる改良の必要がある。
【考案の開示】
【考案が解決しようとする課題】
【０００６】
前述の問題と欠点を改善するため、本考案の目的は、従来の欠点に対し更なる改良を加え、フィルタ材交換の過程と取り外し手順を簡略化し、時間と手間を省くことができる空調フィルタバッグを提供することにある。
【課題を解決するための手段】
【０００７】
本考案の空調フィルタバッグは、空調フィルタバッグに開口部を設け、さらに、開口部内側に密着させて開口部の強靭性を増加する支持部と、開口部に連結され、開口部を開いた状態に支持する枠体とを含み、この枠体をフィルタフレームの気孔内に嵌入し、挟持方式で空調フィルタバッグを緊密に該気孔内に固定することを特徴とする。
【考案の効果】
【０００８】
本考案の空調フィルタバッグは、開口部に枠体と支持部を設けることで、この空調フィルタバッグと空調装置のフィルタフレームとの脱着が簡単にでき、交換時には、空調フィルタバッグをフィルタフレームの気孔から抜き取り、新しい空調フィルタバッグを装着するだけでよく、また枠体を可燃性且つ自然分解が可能な紙材で製作することで、二次分解処理の必要がなくなり、手間が省け経済的である。
【考案を実施するための最良の形態】
【０００９】
本考案の詳細な内容と技術について、以下、図面に基づき詳細に説明する。
【００１０】
図１に本考案の空調フィルタバッグの立体斜視図を示す。本考案の空調フィルタバッグのバッグ本体はフィルタ材から成り、このフィルタ材は使用者のニーズに合わせて異なる材質のもの（例：ガラス繊維フィルタ材や合成繊維フィルタ材等）を選んで用いるものとし、同時に、使用者のニーズに合わせ、各種異なる濾過効率の材質を選択しバッグ本体を製作できる。この濾過効率については、アメリカ暖房冷凍空調学会（AMERICAN SOCIETY OF
HEATING, REFRIGERATING, AND AIR-CONDITIONING ENGINEERS；ASHRAE）の測定基準に準拠し、４０％〜９５％間のものはすべて本考案に適用できるものとする。
【００１１】
空調フィルタバッグ１０の後端部の辺縁部分は、二重密封縫合ステッチ（Double sealed stitch lines）で強固さと密封性を確保するか、または超音波溶接を用いて気密性を確保してもよい。空調フィルタバッグ１０の前端部の開口部１１内に支持部１２と枠体１３を設置し、そのうち、支持部１２は人造繊維で製造した矩形の薄片とし、空調フィルタバッグ１０開口部１１の内側に密着させ、開口部１１の強靭性を増加する。枠体１３は空調フィルタバッグ１０の開口部１１に接続し、開口部１１を開いた状態に支持し、空調フィルタバッグ１０の開口部１１をフィルタフレーム２０の気孔２１内に嵌入させる際便利であり、且つ、フィルタフレーム２０と枠体１３間で相互に挟持することで、空調フィルタバッグ１０を緊密に気孔２１内に固定する。図２に本考案の立体分解図を示す。
【００１２】
次に、本考案の空調フィルタバッグ各部品の結合関係について説明する。図３に本考案の空調フィルタバッグ断面図を示す。
【００１３】
本考案の空調フィルタバッグは、大量の空気の流動が瞬間的に生み出す引っ張り力を許容するため、空調フィルタバッグ１０の開口部１１に支持部１２を設置しており、製作時においてこの支持部１２は密封縫合ステッチ（Sealed stitch lines）で開口部１１と縫合し、この支持部１２を空調フィルタバッグ１０の内側に密着させる。これにより、開口部１１は支持部１２により瞬間的気流を受容し、空調システムの起動時に瞬間的気流が発生しても、直接開口部１１のフィルタ材が引っ張られることがなく、フィルタ材が開口部で破裂する状況の発生を防ぐことができる。
空調フィルタバッグ１０と支持部１２の接続完了後、枠体１３を空調フィルタバッグ１０の開口部１１に組み込む。この枠体１３はフィルタフレーム２０の設計に合わせ任意の形状とすることができるが、枠体１３のサイズは空調フィルタバッグ１０の開口部１１よりやや小さく形成する必要があり、これにより、枠体１３を円滑に開口部１１内に設置し、空調フィルタバッグ１０の開口部１１に接着することができる。
【００１４】
最後に、本考案の空調フィルタバッグの実施例を説明する。図４に本考案の空調フィルタバッグの組み立て実施例を示す立体斜視図を示す。
【００１５】
本考案の使用時には、バッグ後端をフィルタフレーム２０の気孔２１に通し、空調フィルタバッグ１０全体を通し入れ、開口部１１の枠体１３を気孔２１内に嵌入し、気孔２１の突出部で枠体１３を支持して位置決めし、これにより空調フィルタバッグ１０の装着が完了する。空調フィルタバッグ１０を一定時間使用した後、交換の必要があるときは、空調フィルタバッグ１０をフィルタフレーム２０の気孔２１から抜き取り、新しい空調フィルタバッグ１０を装着するだけで交換が完了するため、従来のフィルタ材の交換過程に比べ簡易で便利である。且つ、枠体１３は可燃性且つ自然分解が可能な紙材で製作することができ、これにより空調フィルタバッグ１０を二次分解処理する必要がなくなり、従来技術に比べ手間が省け経済的である。
【００１６】
本考案は前述のように最良の実施例を示したが、この説明は本考案を制限するものではなく、本考案の要旨の範囲内におけるあらゆる変更や修飾も、本考案の保護範囲に含まれるものとみなし、本考案は実用新案登録請求の範囲によってのみ制限される
。
【図面の簡単な説明】
【００１７】
【図１】本考案の空調フィルタバッグの立体斜視図である。
【図２】本考案の空調フィルタバッグの立体分解図である。
【図３】本考案の空調フィルタバッグの断面図である。
【図４】本考案の空調フィルタバッグの組み立て実施例を示す立体斜視図である。
【符号の説明】
【００１８】
１０        空調フィルタバッグ
１１        開口部
１２        支持部
１３        枠体
２０        フィルタフレーム
２１        気孔
【図１】
0003112705.tif 000003
【図２】
0003112705.tif 000004
【図３】
0003112705.tif 000005
【図４】
0003112705.tif 000006